(57)【特許請求の範囲】
【請求項１】
発呼処理した電話番号を発信履歴として記憶手段に記憶し、操作手段から読出指示が入力されると当該発信履歴を読み出して表示手段に表示する通信端末装置において、
相手先名及び当該相手先の電話番号を電話帳として記憶している電話帳記憶手段と、
上記記憶手段から発信履歴を読み出して上記表示手段に表示する際、当該発信履歴の電話番号が上記電話帳記憶手段に記憶されているか否かを判定し、記憶されていれば当該電話番号に対応付けられた相手先名、当該相手先名に対応付けて登録されている複数の電話番号における電話の種類を示す複数の絵文字を上記表示手段に表示すると共に、当該複数の絵文字を指定するためのポインタを付随表示し、当該ポインタの位置に対応した電話番号が表示された状態で発呼指示が行われたことを認識すると当該電話番号に対して発呼処理を行う制御手段と
具えることを特徴とする通信端末装置。
【請求項２】
上記通信端末装置は、
上記発呼処理した電話番号を上記発信履歴として上記記憶手段に記憶する際、当該発呼処理した電話番号と同一電話番号の発信履歴が上記記憶手段に記憶されているか否かを判定し、記憶されていれば過去の発信履歴を消去して当該発呼処理した電話番号を発信履歴として上記記憶手段に記憶する記憶制御手段と
を具えることを特徴とする請求項１に記載の通信端末装置。
【請求項３】
上記制御手段は、
上記発信履歴として上記発呼処理した電話番号に加えて日時についても上記記憶手段に記憶されている場合、上記操作手段を介して時期指定情報が入力されると、当該時期指定上に該当する時期の発信履歴を上記記憶手段から読み出して上記表示手段に表示する
ことを特徴とする請求項１に記載の通信端末装置。
【請求項４】
発呼処理した電話番号を発信履歴として記憶手段に記憶し、操作手段から読出指示が入力されると当該発信履歴を読み出して表示手段に表示する発信履歴表示方法において、
上記記憶手段から発信履歴を読み出して上記表示手段に表示する際、当該発信履歴の電話番号が、相手先名及び当該相手先の電話番号を電話帳として記憶している上記電話帳記憶手段に記憶されているか否かを判定する判定ステツプと、
上記判定ステツプで記憶されていると認識した場合、当該電話番号に対応付けられた相手先名、当該相手先名に対応付けて登録されている複数の電話番号における電話の種類を示す複数の絵文字を上記表示手段に表示すると共に、当該複数の絵文字を指定するためのポインタを付随表示する表示ステツプと、
上記表示ステツプにより当該ポインタの位置に対応した電話番号が表示された状態で発呼指示が行われたことを認識すると当該電話番号に対して発呼処理を行う発呼ステツプと
具えることを特徴とする発信履歴表示方法。
【請求項５】
上記発信履歴表示方法では、
上記発呼処理した電話番号を上記発信履歴として上記記憶手段に記憶する際、当該発呼処理した電話番号と同一電話番号の発信履歴が上記記憶手段に記憶されているか否かを判定し、記憶されていれば過去の発信履歴を消去して当該発呼処理した電話番号を発信履歴として上記記憶手段に記憶する記憶制御ステツプと
を具えることを特徴とする請求項４に記載の発信履歴表示方法。
【請求項６】
上記表示ステツプでは、
上記発信履歴として上記発呼処理した電話番号に加えて日時についても上記記憶手段に記憶されている場合、上記操作手段を介して時期指定情報が入力されると、当該時期指定上に該当する時期の発信履歴を上記記憶手段から読み出して上記表示手段に表示する
ことを特徴とする請求項４に記載の発信履歴表示方法。
【発明の詳細な説明】
【０００１】
【目次】
以下の順序で本発明を説明する。
発明の属する技術分野
従来の技術
発明が解決しようとする課題
課題を解決するための手段
発明の実施の形態
（１）全体構成（図１〜図５）
（２）発信履歴機能（図６〜図１２）
（３）動作及び効果
（４）他の実施例（図１３及び図１４）
発明の効果
【０００２】
【発明の属する技術分野】
本発明は通信端末装置、発信履歴記憶方法及び発信履歴表示方法に関し、例えば携帯電話機に適用して好適なものである。
【０００３】
【従来の技術】
近年、携帯電話機の普及が著しく、それに伴つて多種多様の機能が携帯電話機に付加されるようになつてきている。その機能としては種々あるが、一例を上げれば次のようなものがある。例えば発信した相手先の電話番号を日時と共に記憶しておき、読出指示が入力されるとこれを順に読み出して表示する、いわゆる発信履歴機能がある。このような発信履歴機能を携帯電話機に設けることにより、ユーザはこの表示を見ていつ頃どの電話番号に電話を掛けたか容易に知り得る。
【０００４】
【発明が解決しようとする課題】
ところで従来の発信履歴機能では、記憶した電話番号を発信時間順に過去に逆上つて表示するだけなので、だいぶ以前に電話掛けた相手を表示させる迄に時間がかかるといつた不都合がある。
また従来の発信履歴機能では、発信した相手先を単純に記憶しているだけなので、同じ相手先に何度も電話を掛けた場合には、同じ電話番号を何度も繰り返し記憶してしまい、履歴を検索しても殆ど同じ電話番号が表示されてしまうといつた不都合がある。
さらに従来の発信履歴機能では、単に発信した相手先の電話番号を表示するだけなので、誰に電話を掛けたのか容易に確認し得ないといつた不都合もある。
このようにして従来の発信履歴機能は使い勝手の面で未だ不十分なところがあり、改善の余地があると思われる。
【０００５】
本発明は以上の点を考慮してなされたもので、従来に比して使い勝手が向上した発信履歴機能を容易に提供し得る通信端末装置、発信履歴記憶方法及び発信履歴表示方法を提案しようとするものである。
【０００６】
【課題を解決するための手段】
かかる課題を解決するため本発明においては、発呼処理した電話番号を発信履歴として記憶手段に記憶し、操作手段から読出指示が入力されると当該発信履歴を読み出して表示手段に表示する通信端末装置において、相手先名及び当該相手先の電話番号を電話帳として記憶している電話帳記憶手段と、記憶手段から発信履歴を読み出して表示手段に表示する際、当該発信履歴の電話番号が電話帳記憶手段に記憶されているか否かを判定し、記憶されていれば当該電話番号に対応付けられた相手先名、当該相手先名に対応付けて登録されている複数の電話番号における電話の種類を示す複数の絵文字を表示手段に表示すると共に、当該複数の絵文字を指定するためのポインタを付随表示し、当該ポインタの位置に対応した電話番号が表示された状態で発呼指示が行われたことを認識すると当該電話番号に対して発呼処理を行う制御手段とを設けるようにした。
これにより、発信履歴の電話番号が電話帳記憶手段に記憶されている場合には、その電話番号に対応付けられた相手先名、複数の電話の種類を示す絵文字を指定するためのポインタ、そのポインタの位置に対応した電話番号を表示することにより、発信履歴として残された電話番号以外の電話番号に対してポインタを介して選択するだけの簡単な操作で容易に発呼させることができる。
【０００７】
また本発明においては、発呼処理した電話番号を発信履歴として記憶手段に記憶し、操作手段から読出指示が入力されると当該発信履歴を読み出して表示手段に表示する発信履歴表示方法において、記憶手段から発信履歴を読み出して表示手段に表示する際、当該発信履歴の電話番号が、相手先名及び当該相手先の電話番号を電話帳として記憶している電話帳記憶手段に記憶されているか否かを判定する判定ステツプと、判定ステツプで記憶されていると認識した場合、当該電話番号に対応付けられた相手先名、当該相手先名に対応付けて登録されている複数の電話番号における電話の種類を示す複数の絵文字を表示手段に表示すると共に、当該複数の絵文字を指定するためのポインタを付随表示する表示ステツプと、表示ステツプにより当該ポインタの位置に対応した電話番号が表示された状態で発呼指示が行われたことを認識すると当該電話番号に対して発呼処理を行う発呼ステツプとを設けるようにした。
【０００８】
これにより、発信履歴の電話番号が電話帳記憶手段に記憶されている場合には、その電話番号に対応付けられた相手先名、複数の電話の種類を示す絵文字を指定するためのポインタ、そのポインタの位置に対応した電話番号を表示することにより、発信履歴として残された電話番号以外の電話番号に対してポインタを介して選択するだけの簡単な操作で容易に発呼させることができる。
【０００９】
【発明の実施の形態】
以下図面について、本発明の一実施例を詳述する。
【００１０】
（１）全体構成
図１において、１は全体として本発明を適用した携帯電話機を示し、合成樹脂材料によつて形成された本体２に各種部材が取り付けられている。まず本体２の上部には送受信用のアンテナ３が引出し及び収納可能な状態で取り付けられており、この携帯電話機１ではこのアンテナ３を介して基地局装置との間で電波の送受信を行うようになされている。
【００１１】
また本体２の側面には電源スイツチ４が設けられており、この電源スイツチ４をオン状態にすることにより本体２の裏面に取り付けられたバツテリパツク（図示せず）から各種電気回路に電源が供給され、携帯電話機として動作可能な状態に起動するようになされている。
また本体２の正面上部にはスピーカ５が設けられており、通話時、このスピーカ５から通話相手の音声が出力されるようになされている。また本体２の正面下部にはマイクロホン６が設けられており、通話時、このマイクロホン６からユーザの音声を集音するようになされている。
また本体２の正面中程には表示手段として液晶デイスプレイ（ＬＣＤ）７が設けられており、電波の受信状況、電池容量、電話を掛けたときの電話番号、電話帳として登録されている電話番号やその相手先の名称、発信履歴の情報等、各種情報を表示し得るようになされている。
【００１２】
また本体２の正面下部には操作手段として各種操作キー８が設けられており、この操作キー８を用いて各種指示を入力し得るようになされている。この場合、具体的には操作キー８として次の１０種類のキーが設けられている。すなわち「発呼」キー８Ａ、「終話」キー８Ｂ、「リダイヤル」キー８Ｃ、「０」〜「９」の数字キー８Ｄ、「＊」キー８Ｅ、「♯」キー８Ｆ、「録／再」キー８Ｇ、「クリア」キー８Ｈ、「カナ／英」の入力文字切換キー８Ｉ、「コール」キー８Ｊの１０種類のキーが設けられている。
【００１３】
これらの各操作キー８には次のような機能が割り当てられている。すなわち「発呼」キー８Ａには入力された電話番号や電話帳リストから呼び出された電話番号、或いは発信履歴から呼び出された電話番号に対して発呼処理を行うときの発呼指示を入力する機能が割り当てられている。「終話」キー８Ｂには通話終了の指示を入力したり、その他各種動作モードの終了指示を入力する機能が割り当てられている。「リダイヤル」キー８Ｃには過去に電話を掛けた相手先の電話番号を日時と共に表示する発信履歴を読み出す指示を入力する機能が割り当てられている。
【００１４】
１０個の数字キー８Ｄにはそれぞれ対応する数字情報を入力する機能が割り当てられている。また数字キー８Ｄにはこの他にもカタカナ文字や英文字を入力する機能が割り当てられており、これにより電話帳登録時等に相手先名等を入力し得るようになされている。例えば入力文字切換キー８Ｉを操作して入力モードをカタカナに切り換えた場合には、「１」キーによつて「ア」〜「オ」の文字を、「２」キーによつて「カ」〜「コ」の文字を、「３」キーによつて「サ」〜「ソ」の文字を、「４」キーによつて「タ」〜「ト」の文字を、「５」キーによつて「ナ」〜「ノ」の文字を、「６」キーによつて「ハ」〜「ホ」の文字を、「７」キーによつて「マ」〜「モ」の文字を、「８」キーによつて「ヤ」、「ユ」、「ヨ」の文字を、「９」キーによつて「ラ」〜「ロ」の文字を、「０」キーによつて「ワ」、「ヲ」、「ン」の文字をそれぞれ入力し得るようになされている。
【００１５】
また入力文字切換キー８Ｉを操作して入力モードを英文字に切り換えた場合には、「２」キーによつて「Ａ」〜「Ｃ」の文字を、「３」キーによつて「Ｄ」〜「Ｆ」の文字を、「４」キーによつて「Ｇ」〜「Ｉ」の文字を、「５」キーによつて「Ｊ」〜「Ｌ」の文字を、「６」キーによつて「Ｍ」〜「Ｏ」の文字を、「７」キーによつて「Ｐ」〜「Ｓ」の文字を、「８」キーによつて「Ｔ」〜「Ｖ」の文字を、「９」キーによつて「Ｗ」〜「Ｚ」の文字をそれぞれ入力し得るようになされている。
因みに、各数字キー８Ｄとも、１回押せば最初の文字を入力でき、２回押せば２番目の文字を入力でき、以下同様に押す回数によつて入力文字を切り換え得るようになされている。
【００１６】
「＊」キー８Ｅには「＊」文字を入力する機能の他、カーソル表示を左方向に移動する指示を入力する機能が割り当てられている。「♯」キー８Ｆには「♯」文字を入力する機能の他、カーソル表示を右方向に移動する指示を入力する機能が割り当てられている。「録／再」キー８Ｇには通話内容を録音する指示やその内容を再生する指示を入力する機能が割り当てられている。「クリア」キー８Ｈには表示内容や登録内容を消去する指示を入力する機能が割り当てられている。入力文字切換キー８Ｉには上述したように入力モードをカタカナ又は英文字に切り換える指示を入力する機能が割り当てられている。「コール」キー８Ｊには電話帳として登録されている電話番号を呼び出す指示を入力する機能が割り当てられている。
【００１７】
また本体２の側面上部には同じく操作手段としてジヨグダイアル９が設けられており、このジヨグダイアル９を円周方向に回動させることにより液晶デイスプレイ７に表示されている発信履歴リストや電話帳リスト等、各種表示項目をスクロール表示させる指示を入力し得るようになされている。またこのジヨグダイアル９を半径方向に押す（以下、この動作をクリツクと呼ぶ）ことにより表示されている項目を選択確定する指示を入力し得るようになされている。因みに、このジヨグダイアル９のクリツク操作には「発呼」キー８Ａと同様に発呼指示を入力する機能やフアンクシヨンキーとしての機能も割り当てられている。
【００１８】
ここで図２を用いて回路構成について説明する。この携帯電話機１の本体２には図２に示すような回路が設けられている。まず上述した各種操作キー８やジヨグダイアル９から入力された指示情報は制御手段であるＣＰＵ（Central Processing Unit ）１０に入力される。ＣＰＵ１０は入力される指示情報に基づいてＬＣＤドライバ回路７Ａを制御することにより指示情報に応じた各種情報（例えば入力される電話番号やメニユー項目、或いは発信履歴や電話帳等）を液晶デイスプレイ７に表示する。またＣＰＵ１０は入力される指示情報に基づいて送受信回路部１１を制御することにより発呼処理や終話処理等、指示情報に応じた各種処理を実行する。またＣＰＵ１０は第１の記録手段であるＲＡＭ（Random Access Memory）１２をアクセスして所定の情報を記憶したり、或いは第２の記憶手段であるＥＥＰＲＯＭ（Electorically Erasable and Programmable Read Only Memory）１３をアクセスして発信履歴や電話帳等、電源を切つても消したくないような各種情報を記憶するようになされている。
因みに、このような制御動作を行うＣＰＵ１０はＲＯＭ（Read Only Memory）１４に格納されているプログラムコードに基づいて制御動作を行うようになされている。
【００１９】
送受信回路部１１はＣＰＵ１０の制御によりアンテナ３を介して制御信号を送出して発呼処理を行つたり、或いは基地局装置からの着信信号をアンテナ３を介して受け、ＣＰＵ１０に対して着信通知を行うようになされている。また送受信回路部１１は通話時にマイクロホン６から入力される音声信号を所定の信号処理を施して送信したり、或いは受信信号に所定の信号処理を施して音声信号を復調し、これをスピーカ５に出力するようにもなされている。
【００２０】
ここで上述したジヨグダイアル９について以下に具体的に説明する。ジヨグダイアル９は装置本体２の側面のうち左側側面の上部に設けられており、左手で本体２を保持したときに丁度左手の親指位置にくるようになされている。これにより本体２を保持した状態でも左手親指で回動操作やクリツク操作を容易に行え、片手で簡単に操作し得るようになされている。
このジヨグダイアル９は上述したように円周方向及び半径方向についてそれぞれ独立に操作できるようになされたもので、図３に示すように、回転軸Ｏを中心とする円周方向（矢印Ａ及び矢印Ｂ）に回動する円板状の部材（ロータリーエンコーダを構成する）と、半径方向（矢印Ｃ及び矢印Ｄ）にスライドし得るスライド板（図示せず）と、スライドスイツチＳＷとによつて構成されている。
【００２１】
因みに、スライド板及びスライドスイツチＳＷは矢印Ｃの方向に付勢されている。また回転軸Ｏはスライド板に対して固定されており、ジヨグダイアル９が矢印Ｄの方向に押された場合にはロータリーエンコーダがスライド板と一体にスライドしてスライドスイツチＳＷを押し下げ、オン状態に制御できるようになされている。ＣＰＵ１０はこのスライドスイツチＳＷのオンオフ状態を検出することによりジヨグダイアル９がクリツクされたか否かを判別している。
【００２２】
スライド板と一体にスライドするロータリーエンコーダは、図４に示すように、２枚の円板９Ａ及び９Ｂによつて構成されている。このうち円板９Ｂは円板９Ａの上面に積層された可動部材であり、スライド板に固定された円板９Ａに対して相対的に回動し得るように取り付けられている。ここで可動側の円板９Ｂには１組の対向電極９Ｃが設けられている。この対向電極９Ｃは組み立てたとき、円板９Ａの円周に沿つて設けられた２０組の対向電極９Ｄと摺接し得るようになされている。因みに、固定側の円板９Ａに設けられた対向電極９Ｄは内周側と外周側とで位置がわずかづつずれて形成されている。
【００２３】
従つてジヨグダイアル９を矢印Ａの方向に回すと対向電極９Ｄから出力される電位は、図５（Ａ）に示すように、内周側の電位が先に接地電位に立ち下がるのに対し、矢印Ｂの方向に回すと、図５（Ｂ）に示すように、外周側の電位が先に接地電位に立ち下がる。これを利用して内周側の電位と外周側の電位のいずれが先に立ち下がるかを検出することにより、ジヨグダイアル９では回動方向を検出するようになされている。またジヨグダイアル９の回転量は外周側の電極から出力されるパルスの数をカウントすることにより検出し得るようになされている。
【００２４】
続いてジヨグダイアル９を用いた代表的な操作例を説明する。まず液晶デイスプレイ７に各種項目が表示されている状態でジヨグダイアル９を円周方向にアツプ又はダウン操作すると、当該液晶デイスプレイ７に表示されているカーソル表示を上下方向に移動することができる。この場合、この状態でジヨグダイアル９をクリツク操作すれば、カーソル表示の位置する項目に関する詳細情報やクリツクした項目の下位階層の項目の読み出しをＣＰＵ１０に指示することができる。また発信履歴や電話帳が表示されている状態でジヨグダイアル９をアツプ又はダウン操作すると、ページスクロールの指示をＣＰＵ１０に指示することができ、ページをめくるようにして前画面又は次画面を表示させることができる。この場合、所望の電話番号が表示されている状態でクリツク操作を行えば、その電話番号を確定して電話を掛けることができる。
【００２５】
（２）発信履歴機能
この項では、この携帯電話機１に設けられている発信履歴機能について説明する。まず発信履歴の情報が格納されるＥＥＰＲＯＭ１３は、図６に示すように、少なくとも発信履歴記憶部１３Ａと電話帳記憶部１３Ｂの２つの記憶領域を有しており、それぞれの記憶領域に該当する情報を格納するようになされている。因みに、この携帯電話機１の場合には、発信履歴記憶部１３Ａとしては例えば５０件分の履歴を記憶し得る記憶容量が確保されており、電話帳記憶部１３Ｂとしては例えば３００件分の電話帳を記憶し得る記憶容量が確保されている。
【００２６】
ここで電話帳登録時、操作キー８を操作することにより入力された相手先名とその相手先の電話番号は電話帳として電話帳記憶部１３Ｂに格納され、記憶される。
一方、発信履歴の場合には、発呼処理した相手先の電話番号を日付及び時間と共に発信履歴として発信履歴記憶部１３Ａに格納して記憶する。その際、図７に示すように、過去に発呼したことがある電話番号については最新の発信履歴だけを記憶し、過去の発信履歴は消去するようになされている。
【００２７】
例えば図７（Ａ）に示すように、「15日 01:30 0350438818 」、「15日 10:30 0350438818 」、「15日 09:50 0350438818 」、「14日 07:30 0350437718 」、「14日 01:30 0350438818 」、「13日 01:30 0350435518 」、「12日 01:30 0350437718 」、「11日 01:30 0350435518 」の発信履歴が実際にあつたとしても、このうち記憶されるのは図７（Ｂ）に示すように１番目、４番目及び６番目の３つの発信履歴だけである。
【００２８】
すなわち実際にあつた発信履歴のうち２番目、３番目及び５番目の発信履歴は１番目の発信履歴と相手先が同一であり、しかも時間的に１番目の発信履歴に対して過去であるので消去される。また実際にあつた発信履歴のうち７番目の発信履歴は４番目の発信履歴と相手先が同一であり、しかも時間的に過去であるので消去される。同様の理由により８番目の発信履歴も消去される。このようにしてこの携帯電話機１では、相手先が同一である場合には最新の発信履歴だけを残すようにし、これによつて発信履歴としては相手先が異なるものだけを残すようにしている。
【００２９】
因みに、このような発信履歴の記憶処理は基本的にＣＰＵ１０によつて行われるが、その際、ＣＰＵ１０は現在発呼処理を行つた電話番号と発信履歴記憶部１３Ａに記憶されている発信履歴リストとを照合し、現在発呼処理を行つた電話番号と同一の電話番号の発信履歴が記憶されているか否か判定し、記憶されていればそれを消去して現在発呼処理を行つた電話番号についての発信履歴を新たに記憶し、同一電話番号の発信履歴が記憶されていなければ消去処理を行わずに現在発呼処理を行つた電話番号についての発信履歴を新たに記憶する。このような記憶処理を行うことにより、この携帯電話機１では、相手先が異なる発信履歴だけを残すようにしている。
【００３０】
ここで図８を用いて発信履歴の表示について説明する。図８に示すように、「リダイヤル」キー８Ｃから発信履歴の読出指示や、操作キー８又はジヨグダイアル９から条件設定が入力されると、ＣＰＵ１０は発信履歴記憶部１３Ａをアクセスして該当する発信履歴を読み出すと共に、その読み出した発信履歴と電話帳記憶部１３Ｂに記憶されている電話帳リストとを照合し、その照合結果に応じた表示内容を液晶デイスプレイ７に表示する。
【００３１】
その際、ＣＰＵ１０によつて行われる発信履歴の表示方法としては次に説明するようないくつかの方法がある。まず図９に示すように、読み出した発信履歴を電話帳記憶部１３Ｂに記憶されている電話帳リストと照合し、発信履歴内の電話番号が電話帳として記憶されているか否か判定し、記憶されていなければ読み出した発信履歴をそのまま表示して電話番号による発信履歴を表示する。
また図１０に示すように、読み出した発信履歴を電話帳記憶部１３Ｂに記憶されている電話帳リストと照合し、発信履歴内の電話番号が電話帳として記憶されているか否か判定し、記憶されていればその電話番号に対して記憶されている相手先名を電話帳記憶部１３Ｂから読み出し、これを用いて発信履歴を表示する。すなわち電話番号の代わりに読み出した相手先名を表示して発信履歴を表示する。
【００３２】
また図１１に示すように、この携帯電話機１の場合には、通常、「リダイヤル」キー８Ｃを１回押下すると、現在を基点として過去８日間の発信履歴を表示する１ウイークモードに入る。この状態でジヨグダイアル９をアツプ又はダウン操作すると、その８日間の発信履歴が順にページスクロールされる。因みに、このモードのときには、液晶デイスプレイ７の画面上側に「１Ｗ」が表示され、これによりユーザは１ウイークモードであることを容易に知り得る。
この状態で「２」キーと「リダイヤル」キー８Ｃを押下するか、もしくは「リダイヤル」キー８Ｃを２回押下すると、現在を基点として過去３０日目の発信履歴を表示する１マンスモードに入る。このとき画面上には現在から丁度３０日前の発信履歴が表示される。この状態でジヨグダイアル９をアツプ又はダウン操作すると、その前後の発信履歴が順にページスクロールされる。因みに、このモードのときには、液晶デイスプレイ７の画面上側に「１Ｍ」が表示され、これによりユーザは１マンスモードであることを容易に知り得る。
【００３３】
また「３」キーと「リダイヤル」キー８Ｃを押下するか、もしくは「リダイヤル」キー８Ｃを３回押下すると、今度は現在を基点として過去９０日目の発信履歴を表示する３マンスモードに入る。このとき画面上には現在から丁度９０日前の発信履歴が表示される。この状態でジヨグダイアル９をアツプ又はダウン操作すると、その前後の発信履歴が順にページスクロールされる。因みに、このモードのときには、液晶デイスプレイ７の画面上側に「３Ｍ」が表示され、これによりユーザは３マンスモードであることを容易に知り得る。
このようにしてこの携帯電話機１の場合には、発信履歴表示に際して時期指定情報が入力されたとき、該当する時期の発信履歴を読み出してそれを表示するようになされている。これによりユーザが見たい時期の発信履歴を一気に表示し得、ユーザは希望する発信履歴を速やかに見ることができる。
【００３４】
ここで図１２を用いて発信履歴を用いた発呼処理の操作手順を説明する。まず「リダイヤル」キー８Ｃを押下すると、発信履歴の読み出しが指示され、発信履歴記憶部１３Ａから一番最近電話かけた相手の発信履歴が液晶デイスプレイ７に表示される。この状態でジヨグダイアル９をアツプ又はダウン操作すると発信履歴が順次ページスクロールされる。因みに、このとき上述したように「リダイヤル」キー８Ｃを操作することによつて時期指定を行い、所望時期の発信履歴にジヤンプアツプしても良い。
【００３５】
このようなジヨグダイアル９又は「リダイヤル」キー８Ｃの操作によつてこれから発呼処理しようとする相手の発信履歴を表示させる。例えば図１２に示すように５番目の発信履歴の相手に発呼処理するのであれば、それを液晶デイスプレイ７の画面上に表示させる。このようにして所望の相手を表示させた後、「発呼」キー８Ｃを押下するか、もしくはジヨグダイアル９をクリツク操作することによつて発呼指示を入力すると、ＣＰＵ１０はこれを受けて表示されている発信履歴の相手に対して発呼処理を行う。すなわちＣＰＵ１０は表示されている相手の電話番号を用いて送受信回路部１１を駆動し、これによつてその相手に対して発呼処理を行う。このようにして発信履歴から発呼処理し得るようにしたことにより、電話番号を覚えていなくとも過去に電話したことがあれば容易に発呼することができる。
【００３６】
（３）動作及び効果
以上の構成において、この携帯電話機１の場合には、発呼処理を行つた電話番号を発信履歴として記憶する際、現在発呼処理を行つた電話番号と発信履歴記憶部１３Ａに記憶されている発信履歴リストとを照合し、現在発呼処理を行つた電話番号と同一の電話番号の発信履歴が既に記憶されているか否か判定し、記憶されていれば記憶されている過去の発信履歴を消去した上で現在発呼処理した電話番号の発信履歴を新たに記憶し、記憶されていなければ消去処理を行わずに現在発呼処理した電話番号の発信履歴を記憶する。これにより同じ相手の発信履歴を記憶することがなくなり、実質的な発信履歴の保持件数を増やすことができる。また同じ相手の発信履歴が記憶されないため、発信履歴の表示の際には、同じ相手の発信履歴が何度も表示されるようなことを回避し得、所望の相手の発信履歴を速やかに検索することができる。
【００３７】
因みに、従来のように発呼した相手の発信履歴を単純に記憶するようにした場合には、発信履歴記憶部の記憶件数分以上に同じ相手に連続で電話を掛けると、その相手の発信履歴だけが記憶されてしまい、発信履歴からの発呼処理ではその他の相手に電話を掛けることができなくなるおそれがある。しかしながらこの実施例の携帯電話機１では、同一相手の発信履歴は記憶されないため、このような問題を回避することができる。すなわちこの携帯電話機１の場合には、発信履歴記憶部１３Ａを有効活用して実質的な発信履歴の保持件数を増やすことができると共に、発信履歴から発呼できる件数を増やすことができ、発信履歴機能の使い勝手を一段と向上し得る。
【００３８】
またこの携帯電話機１の場合には、発信履歴を表示する際、読み出した発信履歴と電話帳記憶部１３Ｂに記憶されている電話帳リストとを照合し、発信履歴内の電話番号が電話帳として記憶されているか否か判定し、電話帳として記憶されていればその電話番号に対して記憶されている相手先名を液晶デイスプレイ７に表示する。これによりユーザはその相手先名を見ることにより誰に電話を掛けたか容易に知り得る。
【００３９】
さらにこの携帯電話機１の場合には、発信履歴を表示する際、ユーザから時期指定情報が入力されると、該当する時期の発信履歴を読み出して表示する。これによりユーザが見たい発信履歴がだいぶ以前のものであつても、その発信履歴を速やかに表示することができ、従来のように表示させる迄に時間がかかることを回避し得る。
【００４０】
以上の構成によれば、発呼処理した電話番号を発信履歴として記憶する際、発呼処理した電話番号と同一電話番号の発信履歴が記憶されているか否か判定し、記憶されていれば過去の発信履歴を消去して当該発呼処理した電話番号を発信履歴として記憶するようにしたことにより、同一相手の発信履歴を記憶することを回避し得、これによつて実質的に発信履歴の保持件数を増やすことができると共に、所望の相手の発信履歴を速やかに検索することができる。
また発信履歴を表示する際、読み出した発信履歴の電話番号が電話帳として記憶されているか否か判定し、記憶されていれば当該電話番号に対して記憶されている相手先名を読み出して表示するようにしたことにより、ユーザはその相手先名を見て誰に電話を掛けたのか容易に知り得る。
また発信履歴を表示する際、入力された時期指定情報に応じて該当する時期の発信履歴を読み出して表示するようにしたことにより、所望の相手の発信履歴を速やかに表示させることができる。
かくするにつき従来に比して使い勝手が向上した発信履歴機能を容易に提供することができる。
【００４１】
（４）他の実施例
なお上述の実施例においては、読み出した発信履歴の電話番号が電話帳として記憶されているとき、当該電話番号に代えて登録されている相手先名を表示するようにした場合について述べたが、本発明はこれに限らず、図１３に示すように、読み出した発信履歴の電話番号が電話帳として記憶されているときには登録されている相手先名と電話番号を同時に表示するようにしても良い。このようにすれば、誰のどの電話にかけたか一目で分かるので、一段と使い勝手を向上させることができる。
【００４２】
またこれに限らず、電話帳として１つの相手先に複数の電話番号を登録した場合には、上述の変形例と同様に相手先名と前回電話した電話番号を同時に表示し、かつその状態で表示される電話番号を記憶されている他の電話番号に切り換え得るようにしても良い。例えば相手先名「ソニイハジメ」に対して、自宅の電話番号「0350438818」と、会社の電話番号「0350112345」と、フアクシミリの電話番号「0350114567」と、携帯電話の電話番号「0501103884」とが電話帳として記憶されているとする。また前回、「ソニイハジメ」さんの自宅の電話（電話番号：0350438818）に対して発呼し、これが発信履歴として記憶されているとする。
【００４３】
ここで「リダイヤル」キー８Ｃによつて発信履歴の読出指示が入力されると、ＣＰＵ１０はこれを受けて発信履歴を発信履歴記憶部１３Ａから読み出し、電話帳記憶部１３Ｂに記憶されている電話帳と照合した上で当該発信履歴を液晶デイスプレイ７に表示する。その際、ＣＰＵ１０は液晶デイスプレイ７に対して図１４に示すような発信履歴を表示する。すなわちこの場合には、電話番号「0350438818」が電話帳に記憶されているので、前回かけた電話番号「0350438818」と共にその相手先名である「ソニイハジメ」を表示する。またこの相手先に対しては複数の電話番号が登録されているので、電話の種類を示す絵文字７Ａを表示して複数登録であることを示すと共に、当該絵文字７Ａに対してポインタ７Ｂを付随表示することにより表示されている電話番号がどの種類の電話であるか示す。因みに、この絵文字７Ａの示す意味は、上から順に自宅の電話、会社の電話、携帯電話、フアクシミリである。従つてこの図１４に示す例では、15日の１時30分にソニイハジメさんの自宅に電話を掛けたことをユーザは容易に知り得る。
【００４４】
ここで所定操作を行うと（例えば「コール」キー８Ｊを押下すると）、ＣＰＵ１０は記憶されている他の電話番号に表示を切り換える電話番号切換モードに移る。このモードにおいてはジヨグダイアル９をアツプ又はダウン操作すると、ＣＰＵ１０はその操作に合わせてポインタ７Ｂの位置を変えると共に、ポインタ７Ｂが指す電話の電話番号を表示する。例えば図１４に示すように、ポインタ７Ｂを携帯電話のところに移動した場合には、携帯電話の電話番号「0501103884」を表示する。
このようにジヨグダイアル９を操作して今回かける電話を表示させた後、ジヨグダイアル９をクリツク操作すると、ＣＰＵ１０はその電話番号が確定されたと判定して当該電話番号に対して発呼処理を行う。
【００４５】
このようにして１つの相手先に複数の電話番号が記憶されている場合には、電話番号切換指示が入力されたときそれに応じて記憶されている他の電話番号を表示すると共に、電話番号確定指示が入力されたときには確定した電話番号に対して発呼処理を行うＣＰＵ１０を設けるようにしたことにより、以前に電話をかけたことがある相手の他の電話に容易に電話をかけることができる。
【００４６】
また上述の実施例においては、発信履歴を記憶する際、その電話番号と同一の電話番号の発信履歴が記憶されていれば過去の発信履歴を消去するようにした場合について述べたが、本発明はこれに限らず、消去した回数を記憶し、当該消去回数を基に発信回数の頻度で発信履歴の順番を並べ替えるようにしても良い。例えば消去回数を基に発信回数の少ない順に並べ替えれば、あまり電話を掛けたことのない相手に電話を掛ける場合、その相手を速やかに表示して電話を掛けることができる。
【００４７】
また上述の実施例においては、発信履歴や電話帳をＥＥＰＲＯＭ１３に記憶した場合について述べたが、本発明はこれに限らず、電源を切つても記憶し得る記憶手段であればその他の記憶手段に発信履歴や電話帳を記憶するようにしても良い。またこれに限らず、発信履歴と電話帳とを別々の記憶手段に記憶するようにしても良い。
【００４８】
また上述の実施例においては、携帯電話機１に本発明を適用した場合について述べたが、本発明はこれに限らず、例えばフアクシミリ装置や通信機能を有する情報端末装置等に本発明を適用しても良い。要は、所定の相手に対して発呼処理を行い、その発信履歴を記憶して表示する機能を有する通信端末装置であれば本発明を広く適用し得る。
【００４９】
【発明の効果】
上述のように本発明によれば、発信履歴の電話番号が電話帳記憶手段に記憶されている場合には、その電話番号に対応付けられた相手先名、複数の電話の種類を示す絵文字を指定するためのポインタ、そのポインタの位置に対応した電話番号を表示することにより、発信履歴として残された電話番号以外の電話番号に対してポインタを介して選択するだけの簡単な操作で容易に発呼させ得る通信端末装置及び発信履歴表示方法を実現することができる。
【図面の簡単な説明】
【図１】本発明の一実施例による携帯電話機の外観を示す略線図である。
【図２】その携帯電話機の回路構成を示すブロツク図である。
【図３】ジヨグダイアルの構造説明に供する略線図である。
【図４】ジヨグダイアルの構造説明に供する略線図である。
【図５】ジヨグダイアルの構造説明に供する出力波形図である。
【図６】発信履歴及び電話帳の記憶領域の説明に供する略線図である。
【図７】発信履歴の記憶方法の説明に供する略線図である。
【図８】発信履歴の表示方法の説明に供する略線図である。
【図９】電話番号による発信履歴表示の説明に供する略線図である。
【図１０】相手先名による発信履歴表示の説明に供する略線図である。
【図１１】時期指定による発信履歴表示の説明に供する略線図である。
【図１２】発信履歴を用いた発呼処理の説明に供する略線図である。
【図１３】電話番号と相手先名を同時に表示する場合の説明に供する略線図である。
【図１４】登録されている他の電話番号を表示する場合の説明に供する略線図である。
【符号の説明】
１……携帯電話機、２……本体、３……アンテナ、４……電源スイツチ、５……スピーカ、６……マイクロホン、７……液晶デイスプレイ、８……操作キー、９……ジヨグダイアル、１０……ＣＰＵ、１１……送受信回路部、１２……ＲＡＭ、１３……ＥＥＰＲＯＭ、１４……ＲＯＭ。
【図１】
0003687811.tif 000002
【図２】
0003687811.tif 000003
【図３】
0003687811.tif 000004
【図４】
0003687811.tif 000005
【図５】
0003687811.tif 000006
【図６】
0003687811.tif 000007
【図７】
0003687811.tif 000008
【図８】
0003687811.tif 000009
【図９】
0003687811.tif 000010
【図１０】
0003687811.tif 000011
【図１１】
0003687811.tif 000012
【図１２】
0003687811.tif 000013
【図１３】
0003687811.tif 000014
【図１４】
0003687811.tif 000015